(57)【特許請求の範囲】
【請求項１】
システム全体を統括する管理センターの端末と、ＩＣカードを装着された通い箱を分配する通い箱デリバリセンターの端末と、商品を生産して出荷する生産者の端末と、前記商品の卸しや保管を行う問屋・倉庫の端末と、小売業者の端末とをコンピュータネットワークにて相互接続し、前記通い箱の物流経路における前記各端末において、前記コンピュータネットワークと前記ＩＣカードとの間でデータの授受を行い、前記管理センターにて前記通い箱の物流状態を総合的に管理できるようになっている情報システムを用いた通い箱流通管理システムであって、
前記ＩＣカードは、第１のＩＣカードのみ、又は、前記第１のＩＣカード及び第２のＩＣカード、の組み合わせであり、
前記通い箱は、外部とのデータ授受が非接触式であって埋め込み式の前記第１のＩＣカードを有し、かつ、前記通い箱の側面に前記第２のＩＣカードを収納できるＩＣカード収納ポケットと、必要な情報を絵や文字などで目視可能に記入するための記入部とが設けられ、前記第１のＩＣカードが前記通い箱に格納されている商品の流通に必要な流通情報を格納しており、前記物流経路において、前記商品の届け先毎に届けるべき複数の通い箱に対し、その中の先頭となる１つの通い箱だけに、当該通い箱のＩＣカード収納ポケットに、前記複数の通い箱の流通に必要な共通流通情報を格納している前記第２のＩＣカードを装着することを特徴とする情報システムを用いた通い箱流通管理システム。
【請求項２】
前記通い箱の前記物流経路が受注、配送指図、通い箱出荷・リースチャージ、組立て・商品情報登録、生産者出荷、問屋・倉庫入庫、問屋・倉庫出庫のいずれか若しくはその組合わせである請求項１に記載の情報システムを用いた通い箱流通管理システム。
【請求項３】
前記通い箱の前記物流経路として更に前記通い箱の物流終端、分解・回収依頼、回収・洗浄が含まれている請求項２に記載の情報システムを用いた通い箱流通管理システム。
【請求項４】
前記通い箱及び前記商品の代金決済を、前記コンピュータネットワークを介して行うようになっている請求項１に記載の情報システムを用いた通い箱流通管理システム。
【請求項５】
前記ＩＣカードへのデータの格納を現取引及び１つ前の取引とし、１取引毎に格納及び消去を行うようになっている請求項１に記載の情報システムを用いた通い箱流通管理システム。
【請求項６】
前記ＩＣカードに格納されているデータは数個のバンクに分かれ、各々書き込み・読み込みのアクセス権限を設定できるようになっている請求項１に記載の情報システムを用いた通い箱流通管理システム。
【請求項７】
前記第１のＩＣカードに格納されている前記流通情報は、システム管理情報と、通い箱管理情報と、商品管理情報と、会計管理情報とから構成される請求項１に記載の情報システムを用いた通い箱流通管理システム。
【請求項８】
前記第２のＩＣカードに格納されている前記共通流通情報は、商品の届け先と、商品コード（ＪＡＮコード及びＳＫＵコード）と、品名と、通い箱の個数と、単価（納入原価）と、生産者情報とから構成される請求項１に記載の情報システムを用いた通い箱流通管理システム。
【発明の詳細な説明】
【０００１】
【発明の属する技術分野】
本発明は、インターネット等のコンピュータネットワークを用いた通い箱物流管理システムに関し、更に詳しくは生産者、問屋・倉庫、小売り業者（小売店）の間を行き交う商品を梱包若しくは荷造りするために利用されている通い箱の情報を総合的に管理するために、ネットワークとしての情報システムと通い箱に装着されたＩＣカードとを組み合わせて用いる情報システムを用いた通い箱物流管理システムに関する。
【０００２】
【従来の技術】
従来、物流分野では野菜や魚等の商品を梱包したり荷造りしたりして、搬送・運搬するために通い箱が広く利用されている。通い箱は生産者（農家や漁師等）、問屋や倉庫、小売り業者の間を頻繁に行き来し、その管理は十分になされていないのが実情である。通い箱を管理する技術として、通い箱の外側にデータ処理用のバーコードを印刷若しくはバーコードの紙を貼って、データ処理するものがある。
【０００３】
【発明が解決しようとする課題】
通い箱をバーコードで管理するシステムでは、処理可能な情報量に限度があり、十分な管理を行うことができないと共に、バーコードリーダとの関係を完全に自動化することができず、バーコードのデータ更新も不可能であるという問題がある。また、通い箱の管理を電話やＦＡＸでオフライン的に行う場合には、非常に非能率的で確実性の低い管理になってしまう問題もある。
【０００４】
本発明は上述のような事情よりなされたものであり、本発明の目的は、情報化社会にマッチした通い箱物流管理システムを提供することにあり、更に詳細には、ＩＣカードを通い箱に装着してデータ処理量を多くし、更に端末を介してインターネットとの接続を容易にし、生産者、問屋・倉庫、小売り業者の間を行き来する通い箱を効率的に管理する情報システムを用いた通い箱物流管理システムを提供することにある。また、ＩＴＦ（ＪＡＮコードをベースにした標準物流シンボル）などの既存物流管理情報と併用可能で、通い箱に産地、生産者（製造者）、製造年月日、収穫情報、消費期限、賞味期限、保存方法、商品ランク、商品の仕様、売価、納入価格、商品品質等を加味したＩＣカードによる検品システムを提供することも目的としている。
【０００５】
【課題を解決するための手段】
本発明は、システム全体を統括する管理センターの端末と、ＩＣカードを装着された通い箱を分配する通い箱デリバリセンターの端末と、商品を生産して出荷する生産者の端末と、前記商品の卸しや保管を行う問屋・倉庫の端末と、小売業者の端末とをコンピュータネットワークにて相互接続し、前記通い箱の物流経路における前記各端末において、前記コンピュータネットワークと前記ＩＣカードとの間でデータの授受を行い、前記管理センターにて前記通い箱の物流状態を総合的に管理できるようになっている情報システムを用いた通い箱流通管理システムであって、前記ＩＣカードは、第１のＩＣカードのみ、又は、前記第１のＩＣカード及び第２のＩＣカード、の組み合わせであり、前記通い箱は、外部とのデータ授受が非接触式であって埋め込み式の前記第１のＩＣカードを有し、かつ、前記通い箱の側面に前記第２のＩＣカードを収納できるＩＣカード収納ポケットと、必要な情報を絵や文字などで目視可能に記入するための記入部とが設けられ、前記第１のＩＣカードが前記通い箱に格納されている商品の流通に必要な流通情報を格納しており、前記物流経路において、前記商品の届け先毎に届けるべき複数の通い箱に対し、その中の先頭となる１つの通い箱だけに、当該通い箱のＩＣカード収納ポケットに、前記複数の通い箱の流通に必要な共通流通情報を格納している前記第２のＩＣカードを装着することによって達成される。
【０００６】
また、本発明の上記目的は、前記通い箱の前記物流経路が受注、配送指図、通い箱出荷・リースチャージ、組立て・商品情報登録、生産者出荷、問屋・倉庫入庫、問屋・倉庫出庫のいずれか若しくはその組合わせであることにより、或いは前記通い箱の前記物流経路として更に前記通い箱の物流終端、分解・回収依頼、回収・洗浄が含まれていることにより、或いは前記通い箱及び前記商品の代金決済を、前記コンピュータネットワークを介して行うようになっていることにより、或いは前記ＩＣカードへのデータの格納を元取引及び１つ前の取引とし、１取引毎に格納及び消去を行うようになっていることにより、或いは前記ＩＣカードに格納されているデータは数個のバンクに分かれ、各々書き込み・読み込みのアクセス権限を設定できるようになっていることにより、或いは前記第１のＩＣカードに格納されている前記流通情報は、システム管理情報と、通い箱管理情報と、商品管理情報と、会計管理情報とから構成されることにより、或いは前記第２のＩＣカードに格納されている前記共通流通情報は、商品の届け先と、商品コード（ＪＡＮコード及びＳＫＵコード）と、品名と、通い箱の個数と、単価（納入原価）と、生産者情報とから構成されることによって、より効果的に達成される。
【０００７】
【発明の実施の形態】
本発明は、商品（物）、通い箱（商品を梱包する容器）、情報、お金に関する総合的な一貫物流体系化を意図しており、通い箱のリターナル化を進め、限られた資源のゼロ・エミッション化を達成しようとしている。
【０００８】
以下に、本発明に係る情報システムを用いた通い箱物流管理システムの好適な実施形態を、図面を参照して説明する。
【０００９】
図１は本発明で使用する通い箱１０の外観の一例を示しており、筐体状の通い箱１０の内部に商品が梱包されて運搬されるようになっている。図１に示すように、通い箱１０の側面に第２のＩＣカード１１を収納できるＩＣカード収納ポケット１３が設けられていると共に、マジックペン等の筆記用具で商品の品名や届け先等の必要情報を絵や文字等で目視可能に記入するための記入部１２が設けられており、また、通い箱１０の側面内あるいは底面内に、非接触式の第１のＩＣカード１４が外部から見えないように埋設されている。
【００１０】
なお、本発明で使用する通い箱１０が透明な合成樹脂材で作られた折り畳み可能なものであることが好ましいが、それに限定したものではなく、再利用可能でかつＩＣカードを装着することができるものであれば良い。
【００１１】
なお、第１のＩＣカード１４は、通い箱１０の本体に埋め込まれているので、リーダライタに対して非接触でデータの読み出しと書き込みが可能な構成となっている。また、第１のＩＣカード１４は、埋め込み式に限定されるものではなく、通い箱１０の側面に装着するようにしても良いが、通い箱１０の洗浄作業や流通経路などの使用環境を考えると、埋め込み式にした方が好ましい。
【００１２】
一方、第２のＩＣカード１１は通い箱１０のＩＣカード収納ポケット１３に収納されているので、通い箱１０から取り外せるから、リーダライタに対して非接触でデータの読み出しと書き込みが可能な構成となっても良く、もちろん、リーダライタに対して接触でデータの読み出しと書き込みが可能な構成となっても良い。また、記入部１２は複数個所であっても良い。
【００１３】
以下、上述した第２のＩＣカード１１を全体ＩＣカード１１と定義し、また、第１のＩＣカード１４を単体ＩＣカード１４と定義する。要は、単体ＩＣカード１４は通い箱１０単体を表すＩＣカードである。つまり、１枚の単体ＩＣカード１４は１つの通い箱１０に対応しており、対応した通い箱１０に格納されている商品に関する流通情報はその単体ＩＣカード１４に格納されるようになっている。
【００１４】
一方、全体ＩＣカード１１は、同じ届け先で同じ商品を格納している複数の通い箱１０を流通させる場合に使用するもので、それらの複数の通い箱１０に関する共通の流通情報（つまり、従来の流通方式に使用される納品伝票あるいは送状の内容に相当する情報）を格納するようになっている。要は、全体ＩＣカード１１は、複数の通い箱１０全体を表すＩＣカードである。全体ＩＣカード１１が、実際に通い箱１０の流通経路において、複数の通い箱１０の中の一番先頭（つまり、通い箱１０を実際に搬運する運輸業者のドライバが一目で分かるような所）の通い箱１０のＩＣカード収納ポケット１３に収納され、通い箱１０を実際に搬運する運輸業者のドライバに使用される納品伝票の代わりになるものであり、また、通い箱１０を入庫あるいは入荷する各物流個所にて、通い箱１０の検品をするのに役が立つものでもある。
【００１５】
全体ＩＣカード１１と単体ＩＣカード１４との関係を図で表すと、図２になる。例えば、ある届け先に同じ商品が入っている複数の通い箱１０（本例では８個）を届けるとする。各通い箱１０は埋め込み式の単体ＩＣカード１４を有する。一番先頭の通い箱１０のＩＣカード収納ポケット１３に全体ＩＣカード１１を入れるようにすれば、通い箱１０を運搬するドライバにとって、その全体ＩＣカード１１が納品伝票の代わりになる。
【００１６】
なお、全体ＩＣカード１１は接触式のロイコ付きＩＣカードであっても良い。その際に、全体ＩＣカード１１のＩＣチップのデータが、リーダライタにて書き替えられると共に、ロイコ部分にも同時に目視可能なデータが書き替えられる。また、全体ＩＣカード１１は非接触式ＩＣカードであっても良い。その際に、全体ＩＣカード１１のＩＣチップのデータが、リーダライタにて書き替えられ、目視可能なデータは当該全体ＩＣカード１１を収納する通い箱１０の記入部１２に記入するか、またロイコ部分に印刷するようにしても良い。
【００１７】
図３は本発明の全体構成の一例を示しており、インターネット１に生産者の端末（パソコン）２が接続され、通い箱デリバリセンターの端末（パソコン）３が接続され、問屋・倉庫の端末（パソコン）４が接続され、更には小売り業者の端末（パソコン）５が接続されている。また、インターネット１には管理センター２０のサーバ２１が接続されており、サーバ２１にはデータベース２２が接続されている。
【００１８】
更に、生産者、通い箱デリバリセンター、問屋・倉庫、小売業者といった通い箱１０の各物流個所には、通い箱１０に埋設された単体ＩＣカード１４との間で、または通い箱１０のＩＣカード収納ポケット１３に収納されている全体ＩＣカード１１との間で、データの読み出し及び書き込みを行うリーダライタが設置されている。全体ＩＣカード１１及び単体ＩＣカード１４との間のデータの授受を行うリーダライタは、次に説明する端末（パソコン）６を介してインターネット１に接続されている。接触及び非接触の両方でデータの読み出し及び書き込みを行うことができるリーダライタを用いることが好ましい。
【００１９】
ここで言う端末（パソコン）６は、生産者の端末（パソコン）２、通い箱デリバリセンターの端末（パソコン）３、問屋・倉庫の端末（パソコン）４、小売り業者の端末（パソコン）５のいずれかを意味する。また、ここで言う非接触式ＩＣカード１８は非接触式の全体ＩＣカード１１または単体ＩＣカード１４のいずれかを意味する。
【００２０】
なお、各物流個所において、全体ＩＣカード１１または単体ＩＣカード１４と端末（パソコン）６との間のデータの授受を行うのに、リーダライタを用いることに限定されることなく、例えば、非接触式の全体ＩＣカード１１または単体ＩＣカード１４に対して、図４に示すようなハンディターミナル及び図５に示すようなＩＣデータ転送ゲートを用いても良い。
【００２１】
図４はハンディターミナル１５を介して端末（パソコン）６と通い箱１０の非接触式ＩＣカード１８との間のデータ転送を説明する模式図である。図４に示すように、ハンディターミナル１５は有線または無線で端末（パソコン）６に接続されており、さらに、端末（パソコン）６を介して図示しないインターネット１に接続されている。ハンディターミナル１５と非接触式ＩＣカード１８との間のデータ転送は無線で行われる。
【００２２】
図５はＩＣデータ転送ゲート１６を介して端末（パソコン）６と通い箱１０の非接触式ＩＣカード１８との間のデータ転送を説明する模式図である。図５に示すように、コンベア１７にて搬運されてきた通い箱１０がＩＣデータ転送ゲート１６を通過する際に、端末（パソコン）６が無線でＩＣデータ転送ゲート１６を介して非接触式ＩＣカード１８との間にデータ転送を行うようになっている。また、端末（パソコン）６が図示しないインターネット１に接続されている。
【００２３】
図６は端末２〜５の一例を示しており、ＣＤやＦＤのコピー、ドライブ機能を有していると共に、データ処理を行うＣＰＵユニット２１と、ＣＲＴや液晶で成り、画像や文字等を表示するディスプレイユニット２２と、データやコマンド等を入力するキーボード２３及びマウス２４とで構成されている。例えば、汎用のパソコンを端末２〜５として使用することが好ましい。
【００２４】
なお、端末２〜５は上述した構成に限定されるものではなく、インターネットとの通信機能を有する携帯式情報端末であっても良く、例えば、ｉモード機能を有する携帯電話であっても良い。
【００２５】
なお、本発明に使用される通い箱１０には、非接触式の単体ＩＣカード１４が埋設されている。また、本発明に使用される全体ＩＣカード１１は、予め通い箱１０毎にＩＣカード収納ポケット１３の中に入れておくようにしても良い。要は各物流個所において、通い箱１０のＩＣカード収納ポケット１３の中に入っている全体ＩＣカード１１を使用する必要が生じる際に、その全体ＩＣカード１１に必要なデータを格納すれば良い。つまり、全体ＩＣカード１１のロイコ部分が印刷されていれば、当該全体ＩＣカード１１は使用中の全体ＩＣカード１１であると判断される。逆に、全体ＩＣカード１１のロイコ部分が印刷されていなければ、当該全体ＩＣカード１１は未使用の全体ＩＣカード１１であると判断される。
【００２６】
さらに、本発明に使用される全体ＩＣカード１１は、予め通い箱１０毎にＩＣカード収納ポケット１３の中に入れておかないようにし、生産者、通い箱デリバリセンター、問屋・倉庫、小売業者といった各物流個所において、予め適量な全体ＩＣカード１１を用意しておくようにしても良い。要は、各物流個所において、通い箱１０に全体ＩＣカード１１を使用する必要が生じる際に、用意しておいた全体ＩＣカード１１に必要なデータを格納してから、通い箱１０のＩＣカード収納ポケット１３の中に入れれば良い。
【００２７】
図３に示すような構成において、本発明に係る情報システムを用いた通い箱物流管理システムの動作を図７〜図９のフローチャートを参照して説明する。なお、以下で言うＩＣカードは、場合によって、全体ＩＣカード１１または単体ＩＣカード１４、あるいは全体ＩＣカード１１及び単体ＩＣカード１４の両方を意味する。
【００２８】
まず、生産者が端末２でインターネット１を介して、発注情報を入力して管理センター２０に対して通い箱１０の発注をすると（ステップＳ１）、管理センター２０はその発注に基づいて取引先、数量、通い箱の種類、配送予定日確認、注文番号、配送センター（通い箱デリバリセンター）の決定等をして通い箱受注の受付を行う（ステップＳ２）。そして、管理センター２０はサーバ２１で配送案内の準備をして（ステップＳ３）、生産者に対して納期確認情報を送信し納期確認を連絡すると共に（ステップＳ４）、通い箱デリバリセンターに納期回答情報を送信する（ステップＳ５）。以上が受注の物流経路である。
【００２９】
なお、発注情報は数量、使用期間、通い箱の種類である。また、納期確認情報は発注情報、納期確認情報（納期、数量、配送先、注文番号）であり、納期回答情報は発注情報、納期回答情報（納期、数量、注文先、注文番号）である。
【００３０】
上述のような受注業務が終了すると、次に、通い箱デリバリセンターは受信した納期回答情報に基いて納期回答の受付を行う（ステップＳ１０）。一方、管理センター２０のサーバ２１は配送指図を行うことになり（ステップＳ１１）、配送指図情報を通い箱デリバリセンターに通知し（ステップＳ１２）、通い箱デリバリセンターは配送指図の受付を行い（ステップＳ１３）、洗浄、利用者・商品情報の初期化、荷揃い等の作業によって通い箱１０の準備を行う（ステップＳ１４）。ここで言う利用者・商品情報の初期化作業は、通い箱１０に装着されているＩＣカードに必要なデータを格納することを意味する。以上が配送指図の物流経路である。
【００３１】
なお、配送指図情報は発注情報、納期回答情報、配送指図情報（納期、数量、注文先、注文番号、配送予定日）である。
【００３２】
その後、通い箱デリバリセンターでは通い箱１０の出荷を行い（ステップＳ２０，Ｓ２２）、管理センター２０に出荷情報を通知する（ステップＳ２１）。一方、生産者は通い箱１０の入荷と検収処理を行い（ステップＳ２３）、管理センター２０に対して検収情報を通知する（ステップＳ２４）。通い箱１０に装着されているＩＣカードのデータも更新される。生産者は次いで、入荷して来た通い箱１０の在庫を確認しておく（ステップＳ２５）。以上が通い箱出荷・リースチャージの物流経路である。
【００３３】
なお、出荷情報は発注情報、納期回答情報、配送指図情報、出荷情報（出荷日、数量、注文先、注文番号、通い箱番号）である。検収情報は発注情報、納期回答情報、配送指図情報、出荷情報、検収情報（出荷日、検収日、数量、注文先、注文番号、通い箱番号）である。
【００３４】
生産者は在庫の確認後、在庫の通い箱１０を組立て（ステップＳ３０）、通い箱１０に装着されているＩＣカードに必要なデータを書き込み、記入部１２に必要な情報を絵や文字などで目視可能に記入するようにして、商品情報の登録業務を行う（ステップＳ３１）。そして、管理センター２０に対して商品情報を送信する（ステップＳ３２）。以上が組立て・商品情報登録の物流経路である。
【００３５】
なお、商品情報は発注情報、納期回答情報、配送指図情報、出荷情報、検収情報、使用開始情報（組立日、商品名、商品コード、入り数、生産者名、生産者コード、冷蔵種別、出荷ロット番号）である。
【００３６】
その後、生産者は通い箱１０の梱包若しくは荷造りをし（ステップＳ４０）、通い箱１０に梱包した商品を問屋・倉庫に出荷すると共に（ステップＳ４１，Ｓ４３）、管理センター２０に対して生産者出荷情報を送信する（ステップＳ４２）。以上が生産者出荷の物流経路である。
【００３７】
なお、生産者出荷情報は発注情報、納期回答情報、配送指図情報、出荷情報、検収情報、使用開始情報、生産者出荷情報（出荷日、商品名、商品コード、入り数、生産者名、生産者コード、冷蔵種別、出荷ロット番号）である。
【００３８】
上述のようにして、商品が生産者から問屋や倉庫に運搬されると、問屋・倉庫は生産者から出荷された通い箱１０を入庫し、入庫した通い箱１０内の商品の検品を行い（ステップＳ５０）、入庫情報を管理センター２０に送信する（ステップＳ５１）。そして、直接小売り業者に出荷するための出庫するか（ステップＳ５２）、または分荷してから出庫し（ステップＳ５３）、出庫情報を管理センター２０に送信すると共に（ステップＳ５４）、小売り業者に対して出荷する（ステップＳ５５）。出荷時には通い箱１０に装着されているＩＣカード１のデータも更新される。以上のように、ステップＳ５０、ステップＳ５１、ステップＳ５３が問屋・倉庫入庫の物流経路である。また、ステップＳ５２、ステップＳ５４、ステップＳ５５が問屋・倉庫出庫の物流経路である。
【００３９】
なお、入庫情報は発注情報、納期回答情報、配送指図情報、出荷情報、検収情報、使用開始情報、生産者出荷情報、入庫情報（入庫日）である。出庫情報は発注情報、納期回答情報、配送指図情報、出荷情報、検収情報、使用開始情報、生産者出荷情報、入庫情報、出庫情報（出庫日）である。
【００４０】
小売り業者は、問屋・倉庫から出荷された通い箱１０を入庫し、入庫した通い箱１０内の商品の検品を行い（ステップＳ６０）、管理センター２０に物流終端情報を送信する（ステップＳ６１）。検品後は通い箱１０を整理し易いように分解し（ステップＳ６２）、分解情報を管理センター２０に送信する（ステップＳ６３）。以上が物流終端の物流経路である。
【００４１】
なお、物流終端情報は発注情報、納期回答情報、配送指図情報、出荷情報、検収情報、使用開始情報、生産者出荷情報、入庫情報、出庫情報、物流終端情報（物流終端入庫日）である。分解情報は発注情報、納期回答情報、配送指図情報、出荷情報、検収情報、使用開始情報、生産者出荷情報、入庫情報、出庫情報、物流終端情報、分解情報（分解日、分解者）である。
【００４２】
生産者は入庫後に通い箱１０を分解し（ステップＳ７０）、管理センター２０に分解情報を送信する（ステップＳ７１）。このとき、通い箱１０に装着されているＩＣカード１のデータも更新される。また、問屋・倉庫でも入庫後に通い箱１０を分解し（ステップＳ７３）、管理センター２０に分解情報を送信する（ステップＳ７４）。このとき、通い箱１０に装着されているＩＣカード１のデータも更新される。生産者や問屋・倉庫における分解後は通い箱１０の回収依頼を行うと共に（ステップＳ７２，Ｓ７５）、管理センター２０に回収依頼情報を送信する（ステップＳ７６，Ｓ７７）。管理センター２０は、生産者や問屋・倉庫から送られた回収依頼情報を受信すると、回収案内を作成し（ステップＳ８０）、生産者や問屋・倉庫に回収日確認情報を送信し、回収依頼者の回収日確認を取る（ステップＳ８１，Ｓ８２）。通い箱１０に装着されているＩＣカード１のデータも更新される。そして、管理センター２０は通い箱デリバリセンターに対して回収指示を出し（ステップＳ８３）、この指示に従って通い箱デリバリセンターは通い箱１０の回収準備を行う（ステップＳ８４）。以上が分解・回収依頼の物流経路である。
【００４３】
なお、回収依頼情報は発注情報、納期回答情報、配送指図情報、出荷情報、検収情報、使用開始情報、生産者出荷情報、入庫情報、出庫情報、物流終端情報、分解情報、回収依頼情報（回収依頼番号、回収依頼日、回収依頼者）である。回収日確認情報は発注情報、納期回答情報、配送指図情報、出荷情報、検収情報、使用開始情報、生産者出荷情報、入庫情報、出庫情報、物流終端情報、分解情報、回収依頼情報、回収受付情報（回収予定日）である。
【００４４】
その後、通い箱デリバリセンターは、生産者及び問屋・倉庫から通い箱１０を引き受けるために、生産者及び問屋・倉庫に出向き（ステップＳ８５，Ｓ８６）、生産者及び問屋・倉庫の所で、通い箱１０を回収する（ステップＳ８７，Ｓ８８）。最終的には、通い箱１０が生産者及び問屋・倉庫から通い箱デリバリセンターに直接に引き渡される（ステップＳ９０，Ｓ９１）。このようにして通い箱デリバリセンターに通い箱１０が回収されると、通い箱デリバリセンターは管理センター２０に対して回収情報を通知する（ステップＳ９２）。回収された通い箱１０は通い箱デリバリセンターにて洗浄され（ステップＳ９３）、次ぎの受注を待つことになる。以上が回収・洗浄の物流経路である。
【００４５】
なお、回収情報は発注情報、納期回答情報、配送指図情報、出荷情報、検収情報、使用開始情報、生産者出荷情報、入庫情報、出庫情報、物流終端情報、分解情報、回収依頼情報、回収受付情報、回収情報（回収日）である。
【００４６】
上述したように、図７〜図９のフローチャートを参照して説明した、図３に示すような構成を有する本発明に係る情報システムを用いた通い箱物流管理システムにおいて、通い箱デリバリセンターが通い箱１０の出荷及び使用済みの通い箱１０の回収をするようになっているが、本発明はこのような動作に限ったものではなく、例えば、代わりに、通い箱１０の出荷は管理センター２０自らが直接に行い、また、通い箱デリバリセンターに代わって、通い箱の回収業者が使用済みの通い箱１０の回収をするようにしても良い。
【００４７】
なお、上述した実施形態において、生産者の所から問屋・倉庫までに商品の入っている通い箱１０を実際に誰かが運搬するか、また、問屋・倉庫から小売り業者の所までに商品の入っている通い箱１０を実際に誰かが運搬するかについて、説明してないが、通い箱デリバリセンターが運搬するように、また図示しない専門の運輸業者が運搬するようにしても良い。
【００４８】
以上、本発明に係る情報システムを用いた通い箱物流管理システムの動作（通い箱１０の流れを中心として）について説明したが、以下は情報の流れ（ＩＣカードの流れを中心として）について説明する。
【００４９】
情報の流れを説明する前に、まず、ＪＡＮコード及びＳＫＵコードについて説明する。ＪＡＮコードはＪＩＳ規格で決められた商品のバーコードである。一方、ＳＫＵコードはＪＡＮコードのようなＪＩＳ規格ではなく、流通業界で使われている単品商品コードで、取り引き先（つまりユーザ）固有の番号である。要は、ＳＫＵコードがあるグループ単位で決まったものであるために、現状では、まだ統一化されておらず１つの商品に対して３つ４つのＳＫＵコードを有する。流通業界の動きとしては、１つの商品に対応する唯一のＳＫＵコードであるように、ＳＫＵコード統一化を進めている。
【００５０】
商品によって、ＪＡＮコードだけで分類することができる。商品によってＪＡＮコードだけでは商品を分類しきれない場合もある。こういうときに、ＪＡＮコードをＳＫＵコードと合わせて使用することにより、商品を分類するようにする。例えば、靴下に対して、ＪＡＮコードがあり、色やサイズなどの違ったものを分けるのはＳＫＵコードの役目である。流通業界の動きとしては、ＪＡＮコードをＳＫＵコードと合わせて使用することにより、商品を分類するようにすることである。
【００５１】
本発明に使用されるＩＣカードの中に、商品コードについて、流通業界で決められて統一されたＳＫＵコード（公のＳＫＵコード）を各自のＳＫＵコード（プライベートのＳＫＵコード）と一緒に入れるようにし、さらに、ＪＡＮコードをこの２種類のＳＫＵコードと同居させるようにしている。従って、商品を正確に分類することができるので、検品の効率化をも流通システム全体の効率化をも可能にしている。
【００５２】
流通経路においての商品の届け先毎に、届けべき複数の通い箱１０に対して１枚の全体ＩＣカード１１が付くことになる。その全体ＩＣカード１１には、商品の届け先、商品コード（ＪＡＮコード及びＳＫＵコード）、品名、通い箱１０の個数、単価（納入原価）、生産者情報といった複数の通い箱１０に対する共通の流通情報が格納されている。通い箱１０を実際に運搬するトラックのドライバに使用される納品伝票の代わりになる。
【００５３】
一方、単体ＩＣカード１４に格納される情報は、その通い箱１０内の商品及び通い箱１０自身に関する全ての情報を包含する。具体例の一例として、単体ＩＣカード１４に格納される情報が、図１０に示す複数の項目から構成されるシステム管理情報と、図１１に示す複数の項目から構成される通い箱管理情報と、図１２に示す複数の項目から構成される商品管理情報と、図１３に示す複数の項目から構成される会計管理情報とから構成される。
【００５４】
なお、図１０〜図１３に示す具体例において、図１０に使用される「会員企業」は上述した「生産者」を意味し、かつ、管理センターの管理の下で会員企業（生産者）に通い箱１０をレンタル方式で提供するようになっている。
【００５５】
なお、通い箱１０に装着されたＩＣカードに格納されているデータは数個のバンクに分かれ、各々書き込み・読み込みのアクセス権限を設定できるようになっている。
【００５６】
上記実施形態では、商品及び通い箱１０の代金決済を説明していないが、通い箱１０及び商品の代金決済をインターネットを介して行うようにすることも可能である。また、可視可能な通い箱の固体番号（例えばシリアル番号）をバーコード化して添付し、ＩＣカードに記録されている固体番号とバーコードの固体番号の両方を検査することによりセキュリティを保護しながら、可視可能なバーコードで本システムに加盟していない顧客の利用を図ることができる。
【００５７】
【発明の効果】
以上のように本発明に係る情報システムを用いた通い箱物流管理システムによれば、情報化社会にマッチした通い箱物流管理システムを提供することができ、ＩＣカードを通い箱に装着してインターネットとの接続を容易にしているので、生産者、問屋・倉庫、小売り業者の間を行き来する通い箱を効率的に管理することが可能となる。
【図面の簡単な説明】
【図１】本発明に使用される通い箱の一例を示す外観図である。
【図２】全体ＩＣカードと単体ＩＣカードとの関係を示す模式図である。
【図３】本発明に係る情報システムを用いた通い箱物流管理システムの全体構成を示すブロック図である。
【図４】ハンディターミナルを介して端末と通い箱の非接触式ＩＣカードとの間のデータ転送を説明する模式図である。
【図５】ＩＣデータ転送ゲートを介して端末と通い箱の非接触式ＩＣカードとの間のデータ転送を説明する模式図である。
【図６】端末の一例を示す構成図である。
【図７】本発明の動作例の一部を示すフロー図である。
【図８】本発明の動作例の一部を示すフロー図である。
【図９】本発明の動作例の一部を示すフロー図である。
【図１０】単体ＩＣカードに格納される情報の具体例の一部を示す図である。
【図１１】単体ＩＣカードに格納される情報の具体例の一部を示す図である。
【図１２】単体ＩＣカードに格納される情報の具体例の一部を示す図である。
【図１３】単体ＩＣカードに格納される情報の具体例の一部を示す図である。
【符号の説明】
１    インターネット
２    生産者の端末（パソコン）
３    通い箱デリバリセンターの端末（パソコン）
４    問屋・倉庫の端末（パソコン）
５    小売り業者の端末（パソコン）
６    端末（パソコン）
１０    通い箱
１１    第２のＩＣカード（全体ＩＣカードとも言う）
１２    記入部
１３    ＩＣカード収納ポケット
１４    第１のＩＣカード（単体ＩＣカードとも言う）
１５    ハンディターミナル
１６    ＩＣデータ転送ゲート
１７    コンベア
１８    非接触式ＩＣカード（非接触式の全体ＩＣカードまたは単体ＩＣカードのいずれかを意味する）
２０    管理センター
２１    サーバ
２２    データベース
【図１】
0003618676.tif 000002
【図２】
0003618676.tif 000003
【図３】
0003618676.tif 000004
【図４】
0003618676.tif 000005
【図５】
0003618676.tif 000006
【図６】
0003618676.tif 000007
【図７】
0003618676.tif 000008
【図８】
0003618676.tif 000009
【図９】
0003618676.tif 000010
【図１０】
0003618676.tif 000011
【図１１】
0003618676.tif 000012
【図１２】
0003618676.tif 000013
【図１３】
0003618676.tif 000014